(57)【要約】【課題】同室内に設置された複数台の空調機のいずれかで冷媒漏洩が発生したときに、漏洩した冷媒を拡散させるように各空調機を動作させる空調システム、空調機、空調制御方法、およびリモートコントローラを提供する。【解決手段】空調システムは、同室内に設置された複数台の空調機と、前記複数台の空調機の内、少なくとも１台に設置された冷媒漏洩検知センサとを備える。前記複数台の空調機はそれぞれ、前記冷媒漏洩検知センサで冷媒漏洩が検知されると、予め操作により入力された方向に送風を行う動作制御部を有する。【選択図】図３
2020169764.tif 000002
【特許請求の範囲】
【請求項１】
同室内に設置された複数台の空調機と、
前記複数台の空調機の内、少なくとも１台に設置された冷媒漏洩検知センサと、を備え、
前記複数台の空調機はそれぞれ、
前記冷媒漏洩検知センサで冷媒漏洩が検知されると、予め操作により入力された方向に送風を行う動作制御部
を有することを特徴とする空調システム。
【請求項２】
すべての空調機に冷媒漏洩検知センサが設けられ、
前記複数台の空調機はそれぞれ、
自空調機の風向設定情報を、前記複数台の空調機それぞれで冷媒漏洩が検知された場合ごとに保持する冷媒漏洩時動作情報保持部を備え、
前記動作制御部は、前記複数台の空調機のいずれかで冷媒漏洩が検知されると、該当する空調機で冷媒漏洩が発生した場合に対して前記冷媒漏洩時動作情報保持部に保持された風向設定情報で示される方向に送風を行う
ことを特徴とする請求項１に記載の空調システム。
【請求項３】
前記複数台の空調機のうち、床置きタイプの空調機の冷媒漏洩時動作情報保持部は、自空調機の冷媒漏洩検知センサで冷媒の漏洩が検知された場合の自空調機の風向設定情報として、自空調機前面の下部に向かって送風するための風向設定情報を保持し、
前記複数台の空調機のうち、天井近くに設置されるタイプの空調機に最寄の空調機の冷媒漏洩時動作情報保持部は、当該天井近くに設置されるタイプの空調機の冷媒漏洩検知センサで冷媒の漏洩が検知された場合の自空調機の風向設定情報として、当該天井近くに設置されるタイプの空調機前面の下部に向かって送風するための風向設定情報を保持する
ことを特徴とする請求項２に記載の空調システム。
【請求項４】
前記複数台の空調機の中の１台が親空調機として設定されるとともに、他の複数台の空調機が子空調機として設定され、それぞれの子空調機が前記親空調機に通信接続され、
前記親空調機は、
自空調機の冷媒漏洩検知センサで冷媒の漏洩が検知されたときに、前記親空調機で冷媒の漏洩が検知されたことをすべての前記子空調機に通知し、他のいずれかの子空調機で冷媒の漏洩が検知されたことが通知されたときに、当該子空調機で冷媒の漏洩が検知されたことをすべての前記子空調機に通知する第１の検知情報処理部をさらに備え、
前記複数台の子空調機はそれぞれ、
自子空調機の冷媒漏洩検知センサで冷媒の漏洩が検知されたときに、当該子空調機で冷媒の漏洩が検知されたことを前記親空調機に通知する第２の検知情報処理部をさらに備える
ことを特徴とする請求項２または３に記載の空調システム。
【請求項５】
前記複数台の空調機を制御するリモートコントローラを備え、
前記リモートコントローラは、
操作により入力された、いずれかの空調機で冷媒漏洩が検知されたときに、前記室内の空気を循環させて漏洩した冷媒を拡散させるための各空調機の風向設定情報を、該当する空調機に保持させるために送信するリモコン情報処理部を有し、
前記複数台の空調機それぞれの冷媒漏洩時動作情報保持部は、前記リモートコントローラから送信された風向設定情報を、前記複数台の空調機のいずれかで冷媒漏洩が検知されたときに用いる情報として保持する
ことを特徴とする請求項２〜４いずれか１項に記載の空調システム。
【請求項６】
同室内に設置された他の空調機と通信可能であり、
前記他の空調機で冷媒漏洩が検知されたときに、自空調機および前記他の空調機からの送風で前記室内の空気を循環させて漏洩した冷媒を拡散させるための自空調機の風向設定情報を保持する冷媒漏洩時動作情報保持部と、
前記他の空調機で冷媒漏洩が検知されると、前記冷媒漏洩時動作情報保持部に保持された風向設定情報で示される方向に送風を行う動作制御部と
を有することを特徴とする空調機。
【請求項７】
同室内に設置された複数台の空調機それぞれが、
前記複数台の空調機のいずれかで冷媒漏洩が検知されたときに、前記複数台の空調機からの送風で前記室内の空気を循環させて漏洩した冷媒を拡散させるための自空調機の風向設定情報を保持し、
前記複数台の空調機のいずれかで冷媒漏洩が検知されると、保持された風向設定情報で示される方向に送風を行う
ことを特徴とする空調制御方法。
【請求項８】
冷媒漏洩検知センサを備えた空調機を含む、同室内に設置された複数台の空調機を制御するリモートコントローラにおいて、
前記冷媒漏洩検知センサによって冷媒漏洩が検知されたときに、前記室内の空気を循環させて漏洩した冷媒を拡散させるための各空調機の風向を、操作により設定可能なリモコン情報処理部を有する、
ことを特徴とするリモートコントローラ。
【請求項９】
前記リモコン情報処理部は、各空調機における上下及び左右方向の風向を設定可能であることを特徴とする請求項８記載のリモートコントローラ。
【発明の詳細な説明】
【技術分野】
【０００１】
本発明の実施形態は、空調システム、空調機、空調制御方法、およびリモートコントローラに関する。
【背景技術】
【０００２】
従来、空調機にはR410冷媒が広く利用されていたが、このR410冷媒は温暖化計数が高く環境負荷が高いため、徐々に温暖化計数の低いR32等に切り替えられつつある。しかしながら、一般にR32等の温暖化計数が低い冷媒は、微燃性や可燃性のものが多く、これらの冷媒では燃焼するおそれがある。このため、漏洩した場合にガスが滞留しやすい床置きタイプの空調機等には冷媒漏洩検知センサを設置することが望ましい。
【先行技術文献】
【特許文献】
【０００３】
【特許文献１】ＷＯ２０１７／１６８８３４
【特許文献２】特許第６２５０２３６号公報
【発明の概要】
【発明が解決しようとする課題】
【０００４】
上述した冷媒漏洩検知センサで冷媒漏洩が検知されたときには該当する空調機の近辺に漏洩した冷媒が滞留しないように室内空気を撹拌させることが肝要である。そのため、複数台の空調機が設置された大きめの室内空間では、これらの中のいずれかの空調機で冷媒漏洩が検知されたときに、室内の空気をなるべく大きく循環させるように各空調機の風向を設定することが効果的である。しかし、冷媒の漏洩が検知されてからユーザや設備工事業者が室内空気の循環を考慮して各空調機の風向を手動で設定する作業は手間がかかるという問題があった。
【０００５】
発明は上記事情に鑑みてなされたものであり、同室内に設置された複数台の空調機のいずれかで冷媒漏洩が発生したときに、漏洩した冷媒を拡散させるように各空調機を動作させる空調システム、空調機、空調制御方法、およびリモートコントローラを提供することを目的とする。
【課題を解決するための手段】
【０００６】
上記目的を達成するために、実施形態に係る空調システムは、同室内に設置された複数台の空調機と、前記複数台の空調機の内、少なくとも１台に設置された冷媒漏洩検知センサとを備え、前記複数台の空調機はそれぞれ、前記冷媒漏洩検知センサで冷媒漏洩が検知されると、予め操作により入力された方向に送風を行う動作制御部を有することを特徴とする。
【０００７】
また、実施形態に係る空調機は、同室内に設置された他の空調機と通信可能であり、前記他の空調機で冷媒漏洩が検知されたときに、自空調機および前記他の空調機からの送風で前記室内の空気を循環させて漏洩した冷媒を拡散させるための自空調機の風向設定情報を保持する冷媒漏洩時動作情報保持部と、前記他の空調機で冷媒漏洩が検知されると、前記冷媒漏洩時動作情報保持部に保持された風向設定情報で示される方向に送風を行う動作制御部とを有することを特徴とする。
【０００８】
また、実施形態に係る空調制御方法は、同室内に設置された複数台の空調機それぞれが、前記複数台の空調機のいずれかで冷媒漏洩が検知されたときに、前記複数台の空調機からの送風で前記室内の空気を循環させて漏洩した冷媒を拡散させるための自空調機の風向設定情報を保持し、前記複数台の空調機のいずれかで冷媒漏洩が検知されると、保持された風向設定情報で示される方向に送風を行うことを特徴とする。
【０００９】
また、実施形態に係るリモートコントローラは、冷媒漏洩検知センサを備えた空調機を含む、同室内に設置された複数台の空調機を制御し、前記冷媒漏洩センサによって冷媒漏洩が検知されたときに、前記室内の空気を循環させて漏洩した冷媒を拡散させるための各空調機の風向を、操作により設定可能なリモコン情報処理部を有することを特徴とする。
【図面の簡単な説明】
【００１０】
【図１】本発明の一実施形態による空調システムの構成を示す全体図である。
【図２】本発明の一実施形態による空調システムの構成を示すブロック図である。
【図３】本発明の一実施形態による空調システムに用いる各空調機の、（ａ）縦方向のルーバの設定方向を示す説明図、（ｂ）横方向のルーバの設定方向を示す説明図である。
【図４】本発明の一実施形態による空調システムで、冷媒漏洩時動作情報の入力時に実行される処理、および親空調機で冷媒漏洩が検出されたときに実行される処理を示すシーケンス図である。
【図５】本発明の一実施形態による空調システムで、第２子空調機で冷媒漏洩が検出されたときに実行される処理を示すシーケンス図である。
【図６】本発明の一実施形態による空調システム内の各空調機に保持される風向設定情報の一例を示す表である。
【図７】本発明の一実施形態による空調システムで、親空調機で冷媒漏洩が検出され、各空調機の風向が調整されたときの部屋内の空気の流れを示す説明図である。
【図８】本発明の一実施形態による空調システムで、第２子空調機で冷媒漏洩が検出され、各空調機の風向が調整されたときの部屋内の空気の流れを示す説明図である。
【図９】本発明の他の実施形態による空調システム内の各空調機に保持される風向設定情報の一例を示す表である。
【発明を実施するための形態】
【００１１】
〈一実施形態による空調システムの構成〉
本実施形態による空調システムの構成について、図１を参照して説明する。本実施形態による空調システム１は、同室内に設置された３台の空調機（室内機）１０、２０−１、および２０−２と、これら３台の空調機１０、２０−１、２０−２のそれぞれに有線接続されたリモートコントローラ３０と、圧縮機４１を有する室外機４０とを備える。本実施形態において、空調機１０は部屋の左奥に手前向きに設置された床置きタイプの空調機であり、３台の空調機の中の親機として設定されている。また、空調機２０−１は部屋の中央手前に奥向きに設置された床置きタイプの空調機であり、空調機１０の子機として設定されている。また、空調機２０−２は部屋の右奥の天井近くに手前向きに設置された天吊タイプの空調機であり、空調機１０の子機として設定されている。床置きタイプの空調機１０，２０−１は、床面に直立する直方体の筐体を備え、それぞれ上方に横長の吹出口１０Ａ，２０Ａ−１、下方に吸込口１０Ｂ，２０Ｂ−１が設けられ、内部に設けられた室内ファンにより吸込口１０Ｂ，２０Ｂ−１から吸いこんだ室内空気を内部の熱交換器（図示せず）で熱交換した後、吹出口１０Ａ，２０Ａ−１から室内に向けて吹き出す。天吊タイプの空調機２０−２は、天井に吊下げられた室内機であり、薄型で横長の直方体の筐体を備え、下面に吸込口２０Ｂ−２、室内中央方向の前面に吹出口２０Ａ−２が設けられている。この空調機２０−２も内部に室内ファンと熱交換器を備え、室内ファンにより吸込口２０Ｂ−２から吸いこんだ室内空気を熱交換器で熱交換した後、吹出口２０Ａ−２から室内に向けて吹き出す。
【００１２】
以降、空調機１０を親空調機１０、空調機２０−１を第１子空調機２０−１、空調機２０−２を第２子空調機２０−２と記載する。なお、以下の実施形態では説明のために３台の空調機からなる空調システムとしたが、空調機の数はこれに限られるものでなく、また空調機の形態についても様々なタイプのものを使用できる。ただし、室内機の形態については、少なくとも上下もしくは左右の風向が電気的に制御可能な機種に限られる。
【００１３】
この空調システム１の詳細な構成について、図２のブロック図を参照して説明する。親空調機１０は、親空調機通信部１１と、冷媒漏洩時動作情報保持部１２と、冷媒漏洩検知センサ１３と、検知情報処理部１４と、動作制御部１５と、縦ルーバ１６と、縦ルーバモータ１６Ｍと、横ルーバ１７と、横ルーバモータ１７Ｍと、室内ファン１８と、室内ファンモータ１８Ｍとを有する。親空調機通信部１１は、第１子空調機２０−１、第２子空調機２０−２、およびリモートコントローラ３０との有線で通信を行う。
【００１４】
冷媒漏洩時動作情報保持部１２は、３台の空調機１０、２０−１、２０−２のいずれかで冷媒漏洩が検知されたときに、当該３台の空調機１０、２０−１、２０−２からの送風で当該室内の空気を循環させて漏洩した冷媒を拡散させるための自らの動作情報である風向設定情報を、リモートコントローラ３０から取得して保持(記憶)する。この風向設定情報は、３台の空調機１０、２０−１、２０−２それぞれで冷媒漏洩が検知された場合ごとに設定される。ここで、当該親空調機１０は床置きタイプの空調機であるため、自らの冷媒漏洩検知センサ１３で冷媒の漏洩が検知された場合の自機１０の風向設定情報として、自機１０前面の下部に向かって空気を拡散させるように送風するための風向設定情報を保持する。
【００１５】
冷媒漏洩検知センサ１３は、冷媒が滞留しやすい親空調機１０内もしくは親空調機１０の吹出口１０Ａ近傍に設けられる半導体のガス検知センサであり、親空調機１０で発生した冷媒漏洩を検知する。検知情報処理部１４は、冷媒漏洩検知センサ１３で冷媒の漏洩が検知されたときに、親空調機１０で冷媒の漏洩が検知されたことを第１子空調機２０−１および第２子空調機２０−２に通知する。また、検知情報処理部１４は、第１子空調機２０−１または第２子空調機２０−２のいずれかで冷媒の漏洩が検知されたことが通知されたときに、当該子空調機で冷媒の漏洩が検知されたことをすべての子空調機に通知する。
【００１６】
縦ルーバ１６は、風向を左右方向に調整するためのルーバであり、空調機１０の吹出口１０Ａに縦方向に設けられた縦長形状の複数の風向変更板からなる。縦ルーバ１６は、図３（ａ）に示すように右方向から左方向に７段階（01〜07）で風向を調整可能である。縦ルーバモータ１６Ｍは、縦ルーバ１６の風向変更板の向きを制御する。
【００１７】
横ルーバ１７は、風向を上下方向に調整するためのルーバであり、横長形状の風向変更板からなり、一般的に縦ルーバよりも前方の室内側に設けられることが多い。横ルーバ１７は、図３（ｂ）に示すように上方向から下方向に７段階（01〜07）で風向を調整可能である。図３（ａ），（ｂ）中の数値は、風向設定値を意味している。横ルーバモータ１７Ｍは、横ルーバ１７の風向変更板の向きを制御する。
【００１８】
室内ファン１８は、回転動作により吸込口１０Ｂから室内空気を吸い込み、熱交換器で熱交換された空気を吹出口１０Ａから室内に吹き出す。室内ファンモータ１８Ｍは、室内ファン１８の運転／停止を切り替えるとともに、運転中の回転数を制御する。
【００１９】
動作制御部１５は、縦ルーバモータ１６Ｍ、横ルーバモータ１７Ｍ、室内ファンモータ１８Ｍ、及び室外機４０に設けられた圧縮機４１の動作を制御する。
【００２０】
動作制御部１５は、３台の空調機１０、２０−１、２０−２のいずれかで冷媒漏洩が検知されると、冷媒漏洩時動作情報保持部１２に保持された、該当する風向設定情報で示される方向に送風を行うように、縦ルーバモータ１６Ｍおよび横ルーバモータ１７Ｍを駆動して縦ルーバ１６および横ルーバ１７の向きを調整する。同時に、動作制御部１５は、冷媒漏洩が検知されたときに、圧縮機４１が運転していれば停止させ、停止中はそのままの状態を維持するとともに室内ファン１８を高速回転（強風運転）させる。
【００２１】
第１子空調機２０−１は、第１子空調機通信部２１−１と、冷媒漏洩時動作情報保持部２２−１と、冷媒漏洩検知センサ２３−１と、検知情報処理部２４−１と、動作制御部２５−１とを有する。
【００２２】
第１子空調機通信部２１−１は、親空調機１０との通信を行う。冷媒漏洩時動作情報保持部２２−１は、３台の空調機１０、２０−１、２０−２のいずれかで冷媒漏洩が検知されたときに自機２０−１で実行する動作情報として、それぞれの空調機で冷媒漏洩が検知された場合ごとに設定された風向設定情報を、後述するリモートコントローラ３０から親空調機１０を介して取得して保持(記憶)する。ここで、当該第１子空調機２０−１は床置きタイプの空調機であるため、自機２０−１の冷媒漏洩検知センサ２３−１で冷媒の漏洩が検知された場合の自機２０−１の風向設定情報として、自機２０−１前面の下部に向かって空気を吹き付けて冷媒を拡散させるように送風するための風向設定情報を保持する。また、第２子空調機２０−２が天吊タイプの空調機であり、自機２０−１が第２子空調機２０−２に最寄の空調機であるため、第２子空調機２０−２の冷媒漏洩検知センサ２３−２で冷媒の漏洩が検知された場合の自機２０−１の風向設定情報として、第２子空調機２０−２前面の下部に向かって吹き上げて冷媒を拡散させるように送風するための風向情報を保持する。
【００２３】
冷媒漏洩検知センサ２３−１は、第１子空調機２０−１内もしくは第１子空調機２０−１の吹出口２０Ａ−１近傍に設けられる半導体のガス検知センサであり、第１子空調機２０−１で発生した冷媒漏洩を検知する。検知情報処理部２４−１は、冷媒漏洩検知センサ２３−１で冷媒の漏洩が検知されたときに、当該第１子空調機２０−１で冷媒の漏洩が検知されたことを、第１子空調機通信部２１−１を介して親空調機１０に通知する。動作制御部２５−１は、３台の空調機１０、２０−１、２０−２のいずれかで冷媒漏洩が検知されると、冷媒漏洩時動作情報保持部２２−１に保持された、該当する風向設定情報で示される方向に送風を行うようにモータを駆動して、縦ルーバおよび横ルーバの向きを調整する。
【００２４】
第２子空調機２０−２は、第１子空調機２０−１と同じ構成を有し、第２子空調機通信部２１−２と、冷媒漏洩時動作情報保持部２２−２と、冷媒漏洩検知センサ２３−２と、検知情報処理部２４−２と、動作制御部２５−２とを有する。
【００２５】
第２子空調機通信部２１−２は、親空調機１０との通信を行う。冷媒漏洩時動作情報保持部２２−２は、３台の空調機１０、２０−１、２０−２のいずれかで冷媒漏洩が検知されたときに自機２０−２で実行する動作情報として、それぞれの空調機で冷媒漏洩が検知された場合ごとに設定された風向設定情報を、後述するリモートコントローラ３０から親空調機１０を介して取得して保持する。
【００２６】
冷媒漏洩検知センサ２３−２は、第２子空調機２０−２で発生した冷媒漏洩を検知する。検知情報処理部２４−２は、冷媒漏洩検知センサ２３−２で冷媒の漏洩が検知されたときに、当該第２子空調機２０−２で冷媒の漏洩が検知されたことを第２子空調機通信部２１−２から親空調機１０に通知する。動作制御部２５−２は、３台の空調機１０、２０−１、２０−２のいずれかで冷媒漏洩が検知されると、冷媒漏洩時動作情報保持部２２−１に保持された、該当する風向設定情報で示される方向に送風を行うようにモータを駆動して、縦ルーバおよび横ルーバの向きを調整する。
【００２７】
図示省略しているが、第１子空調機２０−１及び第２子空調機２０−２はともに、親空調機１０と同様に縦ルーバモータ、縦ルーバ、横ルーバモータ、横ルーバ、室内ファンモータ、室内ファンを備えるとともに、それぞれ室外機に配管および通信線で接続されて独立した冷凍サイクルが構築されている。子空調機２０−１，２０−２の各動作制御部２５−１、２５−２は、親空調機１０の動作制御部１５と同様に、自機の縦ルーバモータ、横ルーバモータ、および室内ファンモータを駆動して、縦ルーバ及び横ルーバの方向、室内ファンの運転停止及びその回転数を制御するとともに、室外機に設けられた圧縮機の運転／停止を制御する。
【００２８】
リモートコントローラ３０は、空調機１０、２０−１、２０−２を制御するコントローラであり、入出力部３１と、リモコン通信部３２と、リモコン情報処理部３３とを有する。入出力部３１は、例えばタッチパネルで構成され、ユーザの操作による入力情報を入力するとともに、ユーザに提供する情報を出力する。リモコン通信部３２は、親空調機１０有線で通信を行う。リモコン情報処理部３３は、入出力部３１からユーザもしくは設備工事業者により入力された、いずれかの空調機で冷媒漏洩が検知されたときに実行させるための風向指示を含む空調機１０、２０−１、２０−２の動作情報を親空調機１０に送信し、親空調機１０から該当する空調機２０−１、２０−２に送信させることで、該当する風向を各空調機に設定可能な機能を有する。
【００２９】
なお、各空調機１０，２０−１，２０−２の動作制御部１５，２５−１，２５−２は、その共通動作制御として、いずれかの空調機１０，２０−１，２０−２で冷媒漏洩が検出されると、空調運転の運転中・停止中にかかわらず、自らの圧縮機の運転を停止させるとともに室内ファンを強風運転させる。
【００３０】
〈一実施形態による空調システムの動作〉
次に、本実施形態による空調システム１の動作について、図４および図５のシーケンス図を参照して説明する。
【００３１】
まず、設置工事業者がリモートコントローラ３０の入出力部３１において、空調機１０、２０−１、２０−２それぞれで冷媒漏洩が検知された場合ごとに、当該室内の空気を循環させて漏洩した冷媒を拡散させるための各空調機の風向設定情報を入力する（Ｓ１）。この入力処理において、設置工事業者はまず、リモートコントローラ３０の画面上で設定対象の空調機を指定するとともに、冷媒漏洩発生元の空調機ごとおよび制御対象のルーバごとに割り振られた制御No.を指定し、該当するルーバに関する風向の設定値（01〜07：図３中の数値に対応する）を入力する。この処理を、すべての空調機に関し、冷媒漏洩発生元の空調機ごとおよび制御対象のルーバごとに繰り返し、それぞれ風向の設定を入力する。
【００３２】
このようにして入力された風向設定情報の一例を、図６に示す。図６の風向設定情報では、床置きタイプの親空調機１０で冷媒漏洩が検知された場合の自機１０の縦ルーバの風向の制御情報（制御No.300）として、自機１０前面に向かって送風するための風向設定値「04」（図３（ａ）参照）が設定され、横ルーバの風向の制御情報（制御No.301）として、自機１０の下部に向かう風向設定値「07」（図３（ｂ）参照）が設定されている。
【００３３】
また、親空調機１０で冷媒漏洩が検知された場合の第１子空調機２０−１の縦ルーバの風向の制御情報（制御No.300）として、親空調機１０から遠ざかる右方向に向かって送風するための風向設定値「0２」が設定され、横ルーバの風向の制御情報（制御No.301）として、斜め上方向に向かうための風向設定値「0１」が設定されている。さらに、親空調機１０で冷媒漏洩が検知された場合の第２子空調機２０−２の縦ルーバの風向の制御情報（制御No.300）として、親空調機１０に向かう右方向の風向設定値「0３」が設定され、横ルーバの風向の制御情報（制御No.301）として、斜め下方に向かう風向設定値「0１」が設定されている。
【００３４】
同様に、第１子空調機２０−１で冷媒漏洩が検知された場合の第１子空調機２０−１の縦ルーバの風向の制御情報（制御No.302）として、当該第１子空調機２０−１が自機２０−１前面向かって送風するための風向設定値「04」が設定され、横ルーバの風向の制御情報（制御No.303）として、下部に向かって送風するための風向設定値「07」が設定されている。
【００３５】
また、壁掛けタイプの第２子空調機２０−２で冷媒漏洩が検知された場合の第１縦ルーバの風向の制御情報（制御No.304）として、当該第２子空調機２０−２に最寄の第１子空調機２０−１が第２子空調機２０−２に向かって送風するための風向設定値「01」が入力され、横ルーバの風向の制御情報（制御NO.305）として、第２子空調機２０−２の下部に向かって送風するための風向設定値「04」が設定されている。
【００３６】
これらの設定は、熟練した設置工事業者が、空調機１０、２０−１、２０−２の設置工事時に、部屋の形状や、各空調機の設置位置、各空調機の形状タイプ等に応じて、リモートコントローラ３０の設定画面上で、室内の空気がなるべく大きく循環する各風向設定値を入力することによってなされる。
【００３７】
入力された風向設定情報は、その設定が完了すると、リモートコントローラ３０のリモコン通信部３２から親空調機１０に送信され、続いて、親空調機１０の親空調機通信部１１から、子空調機２０−１、および２０−２の各々に送信され（Ｓ２）、それぞれの空調機１０、２０−１、２０−２の冷媒漏洩時動作情報保持部１２、２２−１、２２−２に冷媒漏洩時動作情報として保持される（Ｓ３〜Ｓ５）。
【００３８】
その後、各空調機１０、２０−１、２０−２では各々の冷媒漏洩検知センサ１３，２３−１，２３−２により冷媒が漏洩したか否かが監視され、親空調機１０の冷媒漏洩検知センサ１３で冷媒漏洩が検知されると（Ｓ６の「YES」）、検知情報処理部１４により、親空調機１０で冷媒の漏洩が検知されたことが第１子空調機２０−１および第２子空調機２０−２に通知される（Ｓ７）。また、検知情報処理部１４からの指示に基づいて、動作制御部１５により、まずは接続されている室外機の圧縮機の運転を停止することで冷凍サイクルの運転が停止され、親空調機１０へのそれ以上の冷媒供給が防止され、室内ファンの風量が強風にされる（Ｓ８）。なお、圧縮機が停止中であれば、そのまま停止状態が保持され、室内ファンのみが制御される。続いて動作制御部１５により、冷媒漏洩時動作情報保持部１２に保持された、親空調機１０の冷媒漏洩時に関する親空調機１０の風向設定情報で示される風向に所定時間送風が行われる（Ｓ９）。つまり、縦ルーバが「04」方向に設定され、横ルーバが「07」方向に設定されることで風向が調整され、送風が行われる。この送風時間は、漏洩した冷媒を拡散させるために十分な時間で予め設定され、例えば250分である。
【００３９】
また、通知を受けた第１子空調機２０−１では、親空調機１０からの通知が第１子空調機通信部２１−１を介して検知情報処理部２４−１で取得される。そして、検知情報処理部２４−１からの指示に基づいて、動作制御部２５−１により、まずは接続されている室外機の圧縮機の運転を停止することで冷凍サイクルの運転が停止され、室内ファンの風量が強風にされる（Ｓ１０）。なお、圧縮機が停止中であれば、そのまま停止状態が保持され、室内ファンのみが制御される。続いて動作制御部２５−１により、冷媒漏洩時動作情報保持部２２−１に保持された、親空調機１０の冷媒漏洩時に関する第１子空調機２０−１の風向設定情報で示される風向に所定時間送風が行われる（Ｓ１１）。つまり、縦ルーバが「02」方向に設定され、横ルーバが「01」方向に設定されることで風向が調整され、送風が行われる。
【００４０】
また、通知を受けた第２子空調機２０−２では、親空調機１０からの通知が第２子空調機通信部２１−２を介して検知情報処理部２４−２で取得される。そして、検知情報処理部２４−２からの指示に基づいて、動作制御部２５−２により、接続されている室外機の圧縮機の運転を停止することで冷凍サイクルの運転が停止され、室内ファンの風量が強風にされる（Ｓ１２）。なお、圧縮機が停止中であれば、そのまま停止状態が保持され、室内ファンのみが制御される。続いて動作制御部２５−２により、冷媒漏洩時動作情報保持部２２−２に保持された、親空調機１０の冷媒漏洩時に関する第２子空調機２０−２の風向設定情報で示される風向に所定時間送風が行われる（Ｓ１３）。つまり、縦ルーバが「03」方向に設定され、横ルーバが「01」方向に設定されることで風向が調整されて、送風が行われる。
【００４１】
このように送風が行われることにより、図７に示すように、親空調機１０の前面下部に滞留した冷媒が拡散されつつ、室内の空気が大きく循環される。各空調機１０、２０−１、２０−２では、所定時間送風が行われた後停止され、保守員によるメンテナンス作業が行われる。
【００４２】
また、ステップＳ１〜Ｓ５の処理で各空調機１０、２０−１、２０−２に冷媒漏洩時動作情報が保持された後、第２子空調機２０−２の冷媒漏洩検知センサ２３−２で冷媒の漏洩が検知されると（Ｓ２１の「YES」）、検知情報処理部２４−２により、第２子空調機２０−２で冷媒の漏洩が検知されたことが親空調機１０に通知される（Ｓ２２）。
【００４３】
通知を受けた親空調機１０では、第２子空調機２０−２からの通知が親空調機通信部１１を介して検知情報処理部１４で取得され、当該情報が、第１子空調機２０−１および第２子空調機２０−２に通知される（Ｓ２３）。また、検知情報処理部１４からの指示に基づいて動作制御部１５により、接続されている室外機の圧縮機の運転を停止することで冷凍サイクルの運転が停止され、室内ファンの風量が強風にされる（Ｓ２４）。続いて動作制御部１５により、冷媒漏洩時動作情報保持部１２に保持された、第２子空調機２０−２の冷媒漏洩時に関する親空調機１０の風向設定情報で示される風向に所定時間送風が行われる（Ｓ２５）。つまり、縦ルーバが「04」方向に設定され、横ルーバが「01」方向に設定されることで風向が調整されて、送風が行われる。
【００４４】
また、通知を受けた第１子空調機２０−１では、親空調機１０からの通知が第１子空調機通信部２１−１を介して検知情報処理部２４−１で取得される。そして、検知情報処理部２４−１からの指示に基づいて、動作制御部２５−１により、接続されている室外機の圧縮機の運転を停止することで冷凍サイクルの運転が停止され、室内ファンの風量が強風にされる（Ｓ２６）。続いて動作制御部２５−１により、冷媒漏洩時動作情報保持部２２−１に保持された、第２子空調機２０−２の冷媒漏洩時に関する第１子空調機２０−１の風向設定情報で示される風向に所定時間送風が行われる（Ｓ２７）。つまり、縦ルーバが「01」方向に設定され、横ルーバが「04」方向に設定されることで風向が調整されて、送風が行われる。
【００４５】
また、通知を受けた第２子空調機２０−２では、親空調機１０からの通知が第２子空調機通信部２１−２を介して検知情報処理部２４−２で取得される。そして、検知情報処理部２４−２からの指示に基づいて、動作制御部２５−２により、接続されている室外機の圧縮機の運転を停止することで冷凍サイクルの運転が停止され、室内ファンの風量が強風にされる（Ｓ２８）。続いて動作制御部２５−２により、冷媒漏洩時動作情報保持部２２−２に保持された、第２子空調機２０−２の冷媒漏洩時に関する第２子空調機２０−２の風向設定情報で示される風向に所定時間送風が行われる（Ｓ２９）。つまり、縦ルーバが「03」方向に設定され、横ルーバが「01」方向に設定されることで風向が調整されて、送風が行われる。なお、いずれの空調機１０，２０−１，２０−２で冷媒漏洩が検知されても、すべての室外機の圧縮機の運転が停止され、室内ファンの風量は強風となる。
【００４６】
このように送風が行われることにより、図８に示すように、第２子空調機２０−２の前面下部に滞留した冷媒が第１子空調機２０−１からの送風で拡散されつつ、室内の空気が大きく循環される。各空調機１０、２０−１、２０−２では、所定時間送風が行われた後停止され、保守員によるメンテナンス作業が行われる。
【００４７】
以上の実施形態によれば、同室内に設置された複数台の空調機のいずれかで冷媒漏洩が発生したときに、漏洩した冷媒を拡散させつつ、当該室内の空気を循環させるように各空調機を動作させることができる。
【００４８】
上述した実施形態において、各空調機１０、２０−１、２０−２に保持する風向設定情報を、図９に示すように、冷媒漏洩発生源の空調機に関わらず共通した値で縦ルーバの制御情報（制御NO.400）および横ルーバの制御情報（制御No.401）を設定してもよい。このように設定することで、設置工事業者による風向設定情報の入力処理を簡易化しつつ、空調機１０、２０−１、２０−２のいずれかで冷媒漏洩が検知されたときに室内の空気を大きく循環させて、漏洩により滞留した冷媒を拡散させることができる。
【００４９】
また、上述した実施形態では、予め、リモートコントローラ３０から親空調機１０に冷媒漏洩時の各空調機の風向、すなわちルーバ方向の情報を送信し、親空調機１０が、各子空調機２０−１，２の各々に設定されたルーバ方向の情報を送信する場合について説明したが、いずれかの空調機１０，２０−１，２０−２において冷媒漏洩が検知された時にリモートコントローラ３０から設定すべきルーバ方向を読みだしても良い。その際、親空調機１０を経由して読み出してもよいし、各空調機が直接、リモートコントローラ３０から読み出してもよい。
【００５０】
上述した実施形態においては、複数の空調機を親空調機１０と子空調機２０−１、２０−２に分けて設定しているが、いずれの空調機からもリモートコントローラ３０との間で通信可能とし、親子関係をなくしてもよい。
【００５１】
なお、本実施形態では、すべての空調機に冷媒漏洩センサを設けた例で説明したが、少なくとも１台の空調機に冷媒漏洩センサを設けた空調システムに適用することもできる。また、縦ルーバ、横ルーバのいずれか一方のみを備えた空調機においても適用できる。
【００５２】
さらに、本実施形態では、空調機１０，２０−１，２０−２の各々が圧縮機を備えた室外機に接続され、独立した冷凍サイクルを備える例で説明したが、空調機（室内機）１０，２０−１，２０−２が１台の室外機に接続され、1つの冷凍サイクルを共有する、いわゆるマルチタイプの空調機であってもよい。この場合、いずれかの空調機１０，２０−１，２０−２が圧縮機の停止指示を出せば、当該室外機の圧縮機が停止し、それ以上の冷媒の供給が中止される。
【００５３】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００５４】
１…空調システム、１０…親空調機、２０−１…第１子空調機、２０−２…第２子空調機、１１…親空調機通信部、１２，２２−１，２２−２…冷媒漏洩時動作情報保持部、１３，２３−１，２３−２…冷媒漏洩検知センサ、１４，２４−１，２４−２…検知情報処理部、１５，２５−１，２５−２…動作制御部、１６…縦ルーバ、１６Ｍ…縦ルーバモータ、１７…横ルーバ、１７Ｍ…横ルーバモータ、１８…室内ファン、１８Ｍ…室内ファンモータ、２１−１…第１子空調機通信部、２１−２…第２子空調機通信部、３０…リモートコントローラ、３１…入出力部、３２…リモコン通信部、３３…リモコン情報処理部、４０…室外機、４１…圧縮機
【図１】
2020169764.tif 000003
【図２】
2020169764.tif 000004
【図３】
2020169764.tif 000005
【図４】
2020169764.tif 000006
【図５】
2020169764.tif 000007
【図６】
2020169764.tif 000008
【図７】
2020169764.tif 000009
【図８】
2020169764.tif 000010
【図９】
2020169764.tif 000011